(57)【要約】      （修正有）【課題】制御弁式鉛蓄電池からも時として酸霧や水素ガスが発生する可能性があるが、狭隘なラックに組み込み、電気機器と並んで使用される用途では、従来の排気導管では多様な電池配列に対応できにくかった。【解決手段】蓄電池１の電池覆い蓋２の排気口４に帽座３を備え、排気帽５を取り付け可能とする。一方向または二方向に排気管６を有する排気帽５を種々の方向に取り付けることにより、多様な電池配列に対応できる。【選択図】図１
2004235026.tif 000002
【特許請求の範囲】
【請求項１】
排気帽を取付け可能とした帽座を電池覆い蓋の排気口に備えた制御弁式鉛蓄電池。
【請求項２】
二方向または一方向に排気管を有する排気帽を帽座に取り付けた、請求項１記載の制御弁式鉛蓄電池。
【請求項３】
正反対の方向に排気管を有する、請求項２記載の制御弁式鉛蓄電池。
【請求項４】
排気帽を接着により帽座に取り付けた、請求項２または請求項３記載の制御弁式鉛蓄電池。
【請求項５】
排気帽を嵌着により帽座に取り付けた、請求項２または請求項３記載の制御弁式鉛蓄電池。
【請求項６】
排気帽を、角度が４５度ずつ方向を変えて帽座に取り付けられる凹凸を排気帽と帽座に設けた、請求項２から請求項５までのいずれか一項記載の制御弁式鉛蓄電池。
【請求項７】
正、負の端子が電池の長辺方向の片側に寄せて設けられた、請求項１から請求項６までのいずれか一項記載の制御弁式鉛蓄電池。
【発明の詳細な説明】
【０００１】
【発明の属する技術分野】
本発明は、制御弁式鉛蓄電池に関するもので、その排気を扱う装置に関する。
【０００２】
【従来の技術】
蓄電池は充電操作を行いながら利用される。電解液の中に水を含む蓄電池、例えば鉛蓄電池の場合には充電終期には水素を含むガスや酸霧が多量に発生し、放電や静置中にも少量の水素ガスが発生するので、排気を一括して処理する装置は以前から用いられていた。電解液量を制限した制御弁式鉛蓄電池の場合には酸霧の発生は事実上無視でき、水素の発生も極めて少なくできるが、このような電池を電気機器や火気のある場所に近接して使用したり、大電流で急速充電される用途では、制御弁の解放時に発生するガスを一括処理しなければならない場合がある。このため、一定の方向に開口をもつ排気導管を蓄電池本体と一体に設けた単セルまたはモノブロック構造の制御弁式鉛蓄電池が製作されている。
【０００３】
【特許文献１】
特開昭５６−１０７４７１号公報
【０００４】
上記特許文献１には、上述した排気を一括して処理する装置の例が開示されている。
【０００５】
【発明が解決しようとする課題】
この場合、排気導管の開口方向が決まっているので、多数の電池を狭隘なラック等に収納して電気的接続を行った後、該導管の開口部同士をゴムホース等で接続してラックの外に導く場合には、ホースが折れ曲がらないようにするため、余分の空間が必要となり、長いホースを囲繞する必要があった。また、排気導管の開口が一方向であれば、複数個の電池を扱うにはヘッダーを必要とした。
【０００６】
また、これに伴い、長期使用中に電池上面に塵埃が滞留しやすく、その清掃が不完全となり、電池間接続導体からの接地の原因になることもあった。
【０００７】
【課題を解決するための手段】
上記の課題を解決するため、請求項１記載の発明は、排気帽を取付け可能とした帽座を電池覆い蓋の排気口に備えた制御弁式鉛蓄電池である。
【０００８】
また、請求項２記載の発明は、二方向、または一方向に排気管を有する排気帽を帽座に取付けた、請求項１記載の制御弁式鉛蓄電池である。
【０００９】
また、請求項３記載の発明は、正反対の方向に排気管を有する、請求項２記載の制御弁式鉛蓄電池である。
【００１０】
また、請求項４記載の発明は、排気帽を接着により帽座に取付けた、請求項２または請求項３記載の制御弁式鉛蓄電池である。
【００１１】
また、請求項５記載の発明は、排気帽を嵌着により帽座に取付けた、請求項２または請求項３記載の制御弁式鉛蓄電池である。
【００１２】
また、請求項６記載の発明は、排気帽を角度４５度づつ方向を変えて帽座に取付けられる凹凸を排気帽と帽座に設けた、請求項２から請求項５までのいずれか一項記載の制御弁式鉛蓄電池である。
【００１３】
また、請求項７記載の発明は、正、負の端子が電池の長辺方向の片側に寄せて設けられた、請求項１から請求項６までのいずれかの一項記載の制御弁式鉛蓄電池である。
【００１４】
【発明の実施の形態】
以下、本発明の実施の形態を、図１〜図５に基づいて説明する。
【００１５】
図１（Ａ）は本発明の一実施に係る１２Ｖのモノブロック制御弁式鉛蓄電池の平面図で、排気帽を取付けた状態を示し、図１（Ｂ）は同蓄電池の上部の部分側面図で、排気帽を取付けない状態を示す。図において、１は電池本体、２は覆い蓋、３は帽座、４は覆い蓋２に設けた排気口、５は排気帽、６、６’は正反対の方向に設けられた排気管を示す。ここでは、排気管６、６’が電池の長辺方向に平行になるように排気帽５が取り付けられている。また、１１、１２は電池の長辺方向の片側に寄せて設けられた、それぞれ正、負の端子、１３、１３’は電池の吊り下げ用の穴である。
【００１６】
図２は排気帽５と帽座３との関係を示す、図１（Ａ）のＡ−Ａ’部の断面図で、排気口４を囲んで覆い蓋２の帽座３に円形の周溝２１が設けられ、排気帽５の下辺周縁に設けた凸縁５１と係合するようにしている。周溝２１においては覆い蓋２と帽座５とを接着剤または超音波等で接着することができる。この場合、排気管６、６’は任意の方向をとることができるので、定められた設置場所に対して最短の配管が可能なように、後述する排気管６、６’に連結するパイプをあらかじめ作製しておくことができる。
【００１７】
図３に排気帽５の他の形状を示す。排気帽５の周縁に設けた凸縁５１に、４５度ごとの角度に区切って８個の小突起５２を設けている。そして、これに対応する覆い蓋には、図示していないが、その周溝に該小突起５２を受け入れる８個の凹みを設ける。正反対の方向に排気管を有する排気帽を使用する場合には、これにより排気管の向きを直角とその中央の方向に整然と接着することができる。なお、覆い蓋の側に凹みを、排気帽の側に小突起を設けることもでき、いずれも同様の効果がある。また、方向を規定するためには、覆い蓋または排気帽に１個の小突起を、排気帽または覆い蓋に４５度ごとの角度に区切って８個の凹みを設ければ充分ではあるが、装着に時間がかかることがあること、小突起と凹みの係合が均等に配置されにくいことにより、排気帽または覆い蓋のそれぞれに小突起と凹みを設けた方が、排気帽と帽座との接着強度を増大させることができる。
【００１８】
図４は、一方向のみに排気管６”が設けられた排気帽５”の形状を示す。単一のセルよりなる蓄電池を個別に扱う場合やモノブロック蓄電池中の１セルの場合には、排気管が一方向のみでよいので、部品の統一という点から言えば、他と接続されない排気管に栓をつけて閉止すればよいが、大量に使用される場合には、図４のようなものを作成、使用すれば装着作業の点で有利である。
【００１９】
図５は、嵌合により排気帽５を帽座３に取付ける形状を示す。排気帽５をポリエチレンや高圧法によるポリプロピレンなどの柔軟性のある材料で作製すれば、その下部に形成された管足５３の周囲の小周縁５４により覆い蓋２に着脱自在に取付けることができる。
【００２０】
上記した各形状において、排気管６、６’にはゴムまたはゴム状弾性を有する合成樹脂パイプを挿着して互いに近傍の排気帽と接続し、水素ガスが発生した場合に、これを安全な場所に導くようにする。なお、このパイプの先端には引火防止のフィルターを付けることもできる。
【００２１】
また、本発明は、図１に示すような、正、負の端子を電池の長辺方向の片側に寄せた蓄電池の場合は、該端子の側を保守面に向けて電池を並列し、狭隘なラックに組み込んで電気機器と並んで使用されることが多い。この場合には、通常は許容される微量の酸霧や、稀に逸出する可能性のある水素ガスを電池の周辺から除去する必要があるので、本発明のような、排気を扱う装置を備えた電池では、電池を機器の多様な要求に合わせて配列する場合にも、据付け現場に応じて柔軟に対応することができ、その結果、優れた環境を保持することができる。
【００２２】
【発明の効果】
請求項１によれば、排気帽を取り付けずに使用する用途であっても、排気帽を要する用途であっても同一の制御弁式鉛蓄電池で対応できる。
【００２３】
請求項２によれば、酸霧や水素ガスを確実に電池から隔絶することができ、また、必要な方向に向かう排気管を選ぶことにより、複数個の電池を１本の排気パイプを最短で連結することにより、その処理をすることができる。
【００２４】
請求項３によれば、請求項１および請求項２の効果に併せ、量産した一種類の排気帽により整然とした配管ができ、使用中の電池の点検清掃が容易となる。
【００２５】
請求項４によれば、請求項１および請求項２の効果に併せ、電池の配列が決められている場合には設置作業が行いやすく、使用中の電池の点検または清掃等の作業をする際に排気帽が脱落することもない。
【００２６】
請求項５によれば、請求項１および請求項２の効果に併せ、設置場所に応じて柔軟に対応した設置が可能になる。
【００２７】
請求項６によれば、請求項１および請求項２の効果に併せ、点検清掃時の排気帽の脱落が防止でき、また、整然とした配管を最短の長さで行うことができる。
【００２８】
請求項７によれば、請求項１ないし請求項７の効果に併せ、特に端子側のみを保守面に近づけて狭隘なラックに収納した組電池を清潔に保ち、その信頼性を高めることができる。
【図面の簡単な説明】
【図１】（Ａ）は本発明の実施の形態に係る制御弁式鉛蓄電池の排気帽を取付けた平面図、（Ｂ）同蓄電池の上部の、排気帽を取付けない状態の部分側面図。
【図２】同、排気帽と帽座との関係を示す図１（Ａ）のＡ−Ａ’断面図。
【図３】同、排気帽の他の形状を示す図。
【図４】同、排気帽のさらに他の形状を示す図。
【図５】同、排気帽ののさらに他の形状を示す図。
【符号の説明】
２                覆い蓋
２１            周溝
３              帽座
４              排気口
５、５’        排気帽
５１            凸縁
５２            小突起
５３            管足
５４            小周縁
６、６’、６”  排気管
【図１】
2004235026.tif 000003
【図２】
2004235026.tif 000004
【図３】
2004235026.tif 000005
【図４】
2004235026.tif 000006
【図５】
2004235026.tif 000007